(57)【特許請求の範囲】
【請求項１】
容器口部の内径に沿って切断開封される薄膜部を有して該口部外周に密閉装着される中栓と、
該中栓の外周面に一体に形成されたネジに螺合装着される筒部を有し、該筒部の上部に一体に設けられた天板に開口が形成されるとともに、前記中栓の薄膜部に臨んで該天板から垂下され先端に鋭部を有する中栓開封手段を備えた蓋本体と、
該蓋本体の後部にヒンジを介して蝶着されて前記天板開口を開閉自在に覆う有蓋筒体状をなし、上部蓋板部の裏面には、閉止状態で前記蓋本体の開口を密封するシール部が設けられた蓋部材とを備え、
前記蓋本体を前記中栓にねじ込むことで、前記鋭部を前記中栓の薄膜部に当接させて、該薄膜部を切断開封するバージン機構付ヒンジキャップにおいて、
前記中栓の下端部外周面に、これより径方向外方に突出させて、前記蓋本体のねじ込み時に該蓋本体の筒部下端が当接して分断される複数の支持片を設けるとともに、該各支持片の先端に結合させて、該筒部が嵌入される円筒状部材を設けた、
ことを特徴とするバージン機構付きヒンジキャップ。
【請求項２】
前記蓋本体における筒部下端の外周面を傾斜させてテーパ面に形成する一方、前記円筒状部材の内径は前記筒部外径よりも小さく、かつ該テーパ面の下端外径よりも大きく形成するとともに、該円筒状部材には該筒部の嵌入に伴い拡開する複数のスリットを設け、該各スリットにはこれを横断して該拡開により破断される接合片を設けた、
ことを特徴とする請求項１記載のバージン機構付ヒンジキャップ。
【発明の詳細な説明】
【０００１】
【発明の属する技術分野】
本発明は、容器の口部に装着されてその開口を密閉し、容器の開封時に切断開封される中栓と、この中栓を包囲して装着され、内容物の注出口としての開口を有する蓋本体と、この蓋本体にヒンジを介して蝶着されて、前記開口を開閉自在に覆う蓋部材とを備えたバージン機構付きヒンジキャップに関する。
【０００２】
【従来の技術】
従来より、使用開始までは完全に容器の密閉状態を維持して、その内容物の劣化や異物の混入などの悪戯を防止でき、使用開始以降には内容物に影響がないレベルの密閉状態を維持しつつ、その内容物を自由に取り出すことのできる、容器のキャップとしてバージン機構付きヒンジキャップがある。
【０００３】
このバージン機構付きヒンジキャップは、容器の口部外周に装着されてその口部開口を密閉する中栓を有し、この中栓には前記口部の内径部に沿って切断開封される薄膜部が形成されている。この中栓の外周面にはネジが形成されており、これに螺合装着されて蓋本体が設けられている。この蓋本体は上記中栓に筒部が螺合し、この筒部の上部には天板が一体形成されていて、この天板には中央に開口が設けられているとともに、前記中栓の薄膜部に臨んで垂下形成されて先端に鋭部を有する中栓開封手段が設けられている。また、上記蓋本体の後部には、これに蝶着されて前記天板開口を開閉自在に覆う有蓋筒体状をなす蓋部材が設けられている。この蓋部材の上部蓋板部の裏面には、閉止状態で前記蓋本体の開口を密封するシール部が設けられている。
【０００４】
即ち、このバージン機構付きヒンジキャップは、前記蓋本体を前記中栓にねじ込むことで、前記鋭部を前記中栓の薄膜部に当接させ、当該薄膜部を切断開封する構成であり、前記中栓を開封するまでは完全に密閉状態を維持でき、開封後も、前記蓋部材を閉止して、蓋本体の開口を前記シール部材でシールすることにより密閉状態を維持することができる一方、前記蓋部材を開放して、その内容物を自由に取り出せるようになっている。
【０００５】
【発明が解決しようとする課題】
ところで、このようなバージン機構付きヒンジキャップが取り付けられた商品にあっては、その内容物の品質保証の面から、店頭に陳列販売されている状態で未開封であることが容易に判別可能であることが、小売業者並びに需用者の双方にとって重要である。
【０００６】
しかしながら、上記従来のようなバージン機構付きヒンジキャップでは、その開封・未開封は、容器内部の中栓の薄膜が切断開封されているか否かを、容器を透して視認せねばならず、非常に見えにくく見誤る虞もあり、確認が容易とはいえなかった。また、前記容器が着色されていたり、不透明であったりすると、容器越しに確認できない場合もある。
【０００７】
このため、確認作業を容易にするために、キャップの周囲を別途フィルムで覆ったり、キャップと容器とにかけてラベル等を貼り付けておき、キャップが開封されればこのフィルムやラベルに必ず破損が生じる様にして、開封を確認できるようにしているものもあるが、このようなフィルムやラベルでは、やはり見誤ることも多々あり、開封・未開封を一見して確実に視認することが難しい。
【０００８】
本発明は以上のような問題点を解決するためになされたものであり、その目的は、前記中栓の開封・未開封を外観の変化から一見して容易にかつ確実に視認可能なバージン機構付きヒンジキャップを提供することにある。
【０００９】
【課題を解決するための手段】
かかる目的を達成するために請求項１に示す発明では、容器口部の内径に沿って切断開封される薄膜部を有して該口部外周に密閉装着される中栓と、該中栓の外周面に一体に形成されたネジに螺合装着される筒部を有し、該筒部の上部に一体に設けられた天板に開口が形成されるとともに、前記中栓の薄膜部に臨んで該天板から垂下され先端に鋭部を有する中栓開封手段を備えた蓋本体と、該蓋本体の後部に蝶着されて前記天板開口を開閉自在に覆う有蓋筒体状をなし、上部蓋板部の裏面には、閉止状態で前記蓋本体の開口を密封するシール部が設けられた蓋部材とを備え、前記蓋本体を前記中栓にねじ込むことで、前記鋭部を前記中栓の薄膜部に当接させて、薄膜部を切断開封するバージン機構付きヒンジキャップにおいて、前記中栓の下端部外周面に、これより径方向外方に突出させて、前記蓋本体のねじ込み時に該蓋本体の筒部下端が当接して分断される複数の支持片を設けるとともに、該各支持片の先端に結合させて、該筒部が嵌入される円筒状部材を設けた構成とした。
【００１０】
上記構成によれば、容器の開封、すなわち中栓の開封は以下のように行われる。蓋本体を中栓に対して一方向へ回す操作により、蓋本体を下方へねじ込む。この時、蓋本体に設けられた中栓開封手段も連動して、回転しつつ中栓の方向に進行する。そして、この中栓開封手段先端の鋭部が、中栓の薄膜部と当接し突き刺さった後、前記薄膜部に沿って回転して薄膜部を切断する。
【００１１】
また、これと同時並行して、前記蓋本体の筒部の下端が、前記中栓に設けられた前記複数の支持片上面に当接してこの支持片を下方に押し込み、この押し込みにより当該支持片が破断されて、前記中栓から前記円筒状部材が分離するとともに容器口部のネック上に保持された円筒状部材内に筒部が嵌入する。したがい、蓋本体の筒部が円筒状部材に嵌入しているというキャップの外観上の変化を見ることで、前記容器の中栓が開封されているか否かを容易に確認することができる。また、不透明な容器でも容易に中栓の開封・未開封の確認が可能となる。
【００１２】
また、本発明の請求項２に示すバージン機構付きヒンジキャップは、前記蓋本体における筒部下端の外周面を傾斜させてテーパ面に形成する一方、前記円筒状部材の内径は前記筒部外径よりも小さく、かつ該テーパ面の下端外径よりも大きく形成するとともに、該円筒状部材には該筒部の嵌入に伴い拡開する複数のスリットを形成し、該各スリットにはこれを横断して該拡開により破断される接合片を設けた構成とした。
【００１３】
上記構成によれば、中栓から分離された円筒状部材内に蓋本体の筒部が嵌入していくと、テーパー面が円筒状部材を押し広げてスリットを上方部から拡開させていき、この拡開により各接合片に延び変形が生じてそのうちの１つが破断に至って分断される。そして、この分断が生じると円筒状部材は他のまだ繋がっているスリットの接合片の伸び変形に起因して、分断されたスリット部で大きく拡開して広がり、蓋本体の筒部から離間する。したがい、この円筒状部材が蓋本体の筒部から離間して大きく広がっている状態は、一見しただけで即座に視認できるので、開封・未開封の確認性が著しく向上する。また、その分断された円筒状部材は容易に取り去ることができるから、購買者等が正当に開封した際には、その円筒状部材を取り去って以後の美観を高めることができ、不正に開封されて当該円筒状部材が取り去られていれば、円筒状部材がないという外観上の変化で、その開封済みを検知できる。
【００１４】
【発明の実施の形態】
以下、本発明の好ましい実施の形態につき、添付図面を参照して詳細に説明する。図１は本発明のバージン機構付きヒンジキャップの第１実施形態を示す一部断面斜視図であり、図２はそのバージン機構付きヒンジキャップが開封される過程を示す断面図を示し、（ａ）は未開封状態、（ｂ）は開封完了状態、（ｃ）は開封後の使用時の状態を示す。
【００１５】
本第１実施形態のバージン機構付きヒンジキャップ１は、内部に液状物を収納するビンなどの容器５０の口部５２外周に装着されて用いられる。そして、このバージン機構付きヒンジキャップ１は、前記容器５０の口部５２外周面に形成された雄ネジ５３に螺合装着されて、該口部５２開口を密閉する中栓１０と、この中栓１０の外周面に一体に形成された雄ネジ１８に螺合装着される円筒状の筒部２２を有する蓋本体２０と、この蓋本体２０の後部にヒンジ３４を介して一体的に蝶着される有蓋筒体状の蓋部材３０とを備える。
【００１６】
中栓１０は樹脂成形により単体形成される。また、蓋本体２０と蓋部材３０とは樹脂成形によって一体形成され、これら蓋本体２０と蓋部材３０とを繋ぐヒンジ３４は折れ曲がり自在に極く薄肉に形成されて構成されている。
【００１７】
前記中栓１０は、中央に凹部１１を有する有蓋の２重筒体状をなし、その外側筒体部１３の下部の内周面に形成された雌ネジ１７が、前記容器５０の口部５２外周面に形成された雄ネジ５３に螺合されて装着される。前記凹部１１は、前記筒体部１３に対して同心的に形成され、前記口部５２内周面に嵌入される内側筒状部１９と、その内側筒状部１９の下辺に形成された底部１６とからなり、この底部１６と前記筒状部１９との境界には、切断開封される薄膜部１２が円周方向に沿って形成される。すなわち、前記中栓１０を口部５２に螺着して締め込んでいくと、前記凹部１１を形成する内側筒状部１９が前記口部５２の内周面に嵌入されて、口部５２と中栓１０との間の密封性が得られるようになっている。
【００１８】
また、前記中栓１０における外側筒体部１３の下端部外周面には、これより径方向外方に棒状に突出する小さな支持片４１が複数設けられており、この図示例の実施形態ではその支持片４１は上記外周面に沿って９０度の間隔で４箇所に設けられている。そして、その支持片４１の先端は、容器のネック部５１を包囲する円筒状部材４７の内周面上部と一体に連結される。そして、この円筒状部材４７には、これを鉛直方向に分断する複数のスリット４７ｂが、前記各支持片４１間の円周方向の中央部に設けられており、前記円筒状部材４７は前記スリット４７ｂによって複数の円弧片４７ｃに分割されている。またこれらの円弧片４７ｃは、各スリット４７ｂを横断してその上下方向中間部上方よりに設けられている矩形状の小さな接合片４７ａにより、隣接する円弧片４７ｃ同士が相互に一体的に連結されている。
【００１９】
前記蓋本体２０は円筒状の筒部２２を有し、その内周面に形成された雌ネジ２８はその下方部分のみが、前記中栓１０の外周面に一体に形成された雄ネジ１８に螺合する状態とされている。前記筒部２２は、その下端の外周面が傾斜されたテーパ面に形成されている。そして、このテーパ面の下端外径は、前記円筒状部材４７の内径よりも小さく、またその上端外径すなわち筒部２２外径は、該円筒状部材４７の内径よりも大きく形成されており、これにより蓋本体２２のねじ込みに伴い、前記筒部２２が前記筒部材４７内に容易に嵌入できるようにしている。尚、前記テーパ面にすることで、前記接合片４７ａを切断する能力が大きくなる副次的効果も生じる。
【００２０】
また前記筒部２２の上端部には、円板状の天板２３が一体に設けられる。そして、その天板２３には、その中央に円形の開口２４が形成されるとともに、この開口２４の内周に沿って隆起する環状縦壁２９が形成されて、この環状縦壁２９の内周部にはさらに径方向内方に縦断面略三角形状を呈して突出する凸条２９ａが環状に形成されている。更に、前記天板２３には、前記中栓１０に装着された状態でその中栓１０の薄膜部１２に臨むようにして、先端に鋭部２５を有した中栓開封手段２６が垂下形成されている。この中栓開封手段２６は、下端が斜断された円筒刃であり、その先端外周側には、断面三角形形状の刃２５が一体に形成されている。前記円筒刃の外径は、前記薄膜部１２の直径と一致するように設定される。また、蓋本体２０の前部側面の上部には、蓋部材３０の開閉操作時に蓋部材３０に指を掛け易くするための緩曲面状の窪み２１を形成している。
【００２１】
前記有蓋筒体状をなす蓋部材３０上部の蓋板部３２の裏面には、上記蓋本体２０の天板２３に形成した環状縦壁２９よりも若干小径な筒状突起３９が設けられている。この筒状突起３９は、蓋部材３０を蓋本体２０に閉止した状態において上記環状縦壁２９内に入り込んで、その外周部が凸条２９ａ先端部に密接して蓋本体２０と蓋部材３０との間のシール性を確保するシール部として機能する。
【００２２】
また、蓋板部３２の裏面側には、その外周縁に沿って下方に延びる筒状部３３が形成されていて、この筒状部３３の下端は、蓋部材３０の閉止状態で蓋本体２０の上面に当接するようになっており、上記ヒンジ３４は、この筒状部３３の下縁の後部中央部と蓋本体２０の上面とを繋いで設けられている。また、蓋部材３０の前部側面の下部、すなわち前記蓋本体２０の窪み２１と対応する位置に、突出した略矩形状の、蓋部材３０開閉操作用指掛け片３３ａが一体に形成されている。
【００２３】
次に、この第１実施形態のバージン機構付きヒンジキャップの作用について、図２及び図３を用いて説明する。なお、図３は、前記中栓１０の開封に伴いバージン機構付きヒンジキャップ１の円筒状部材４７が分断される過程を示すもので、中栓１０と円筒状部材４７の境界近傍の要部拡大断面図であり、（ａ）は未分断の状態、（ｂ）は分断直後、（ｃ）は分断後の状態を示す。
【００２４】
本第１実施形態のキャップを使用した容器の開封操作、すなわち中栓１０の開封操作は以下のようにして行われる。蓋本体２０を中栓１０に対して一方向へ回動操作して、蓋本体２０を下方へねじ込む。この時、蓋本体２０に設けられた中栓開封手段２６も連動して螺旋状に回転進行、すなわち回転しつつ中栓１０の方向に進行する。そして、この中栓開封手段２６の先端の円筒刃２５が、中栓１０の薄膜部１２と当接し突き刺さった後、前記薄膜部１２に沿って回転して薄膜部１２を切断する。
【００２５】
これと同時並行して、前記蓋本体の筒部２２の下端が、前記中栓１０に設けられた前記複数の支持片４１上面に当接してこの支持片４１を下方に押し込み、この押し込みにより当該支持片４１が破断されて、前記中栓１０から前記円筒状部材４７が分離し、容器口部のネック５１上に保持される。そして、中栓１０から分離された円筒状部材４７内に蓋本体２０の筒部２２が嵌入していくと、テーパー面が円筒状部材４７を押し広げてスリット４７ｂを上方部から拡開させていき、この拡開により各接合片４７ａに延び変形が生じてそのうちの１つが破断に至って分断される。そして、この分断が生じると円筒状部材４７は他のまだ繋がっているスリット４７ｃの接合片４７ａの伸び変形（伸びの永久変形）に起因して、分断されたスリット４７ｃ部で大きく拡開して広がったままになり、蓋本体２０の筒部２２から離間し、円筒状部材４７は前記ネック５１に絡みついた状態で懸架される。
【００２６】
したがい、蓋本体２０の筒部２２が円筒状部材４７に嵌入している状態、若しくはこの円筒状部材４７が蓋本体２０の筒部２２から離間して大きく広がっている状態は、一見しただけで即座に視認できるので、開封・未開封の確認性が著しく向上する。また、その分断された円筒状部材４７は容易に取り去ることができるから、購買者等が正当に開封した際には、その円筒状部材４７を取り去って以後の美観を高めることができ、不正に開封されて当該円筒状部材４７が取り去られていれば、円筒状部材４７がないという外観上の変化で、その開封済みを検知できる。
【００２７】
次に本発明の第２実施形態を説明する。
【００２８】
図４は、本発明の第２実施形態の、容器口部５２と中栓１０の装着構造を示す断面図である。
【００２９】
図示するように、この第２実施形態もその基本的構成は前述の第１実施形態とほぼ同様であり、よって同一の部材には同一の符号を付して、その相違点についてのみ説明する。
【００３０】
図４に示すように、本第２実施形態は、容器口部５２と中栓１０との装着構造が差し込み固定構造になっている点で前述した第１実施形態と相違する。
【００３１】
すなわち、第２実施形態の容器の口部５２外周面の上方部位にその周方向に沿って適宜箇所に縦断面台形（あるいは三角形）形状の係止突起５３ａが形成されている。そして、中栓１０の外側筒部材１３内周面には、蓋本体２０との共回りを防止する、上記係止突起５３ａが嵌り込む係合溝１７ｂがある。この係合溝１７ｂの下端部は上記係止突起５３ａに相似した台形状の係合片１７ａになっている。そして、係止突起５３ａの上側斜面と係合片１７ａの下側斜面とは、相互に対をなすなだらかなテーパ面に形成され、中栓１０を押し込んだときに、中栓１０を容易に弾性変形させながら乗り越える滑り面になっている。一方、係止突起５３ａの下側斜面と係合片１７ａの上側斜面とは、相互に対をなす急峻なテーパ面に形成されて、引き抜き力に対抗して抜け落ちを防止するロック面になっている。この係止片１７ａおよび係止突起５３ａの形状は、用途・目的に応じて調整される。例えば、店頭商品の容器への異物混入等の悪戯防止目的で、一旦中栓が容器口部に装着されると、再び取り外すことが出来難いようにする場合には、前記係合突起５３ａの下側斜面と係合片１７ａの上側斜面のテーパ面を直角程度にまで急峻にするとともに、両者の係合量を大きくすれば良い。
【００３２】
【発明の効果】
以上説明したように、請求項１に係る発明のバージン機構付きヒンジキャップによれば、中栓の下端部外周面に、これより径方向外方に突出させて、蓋本体のねじ込み時に該蓋本体の筒部下端が当接して分断される複数の支持片を設けるとともに、該各支持片の先端に結合させて、該支持片の分断後に該筒部が嵌入される円筒部材を設けた構成としたので、中栓の開封時に行う、蓋本体を中栓に対して一方向に回転してねじ込む操作により、前記蓋本体の筒部の下端が、前記複数の支持片上面に当接して、この支持片を下方に押し込み破断して、前記中栓から前記円筒状部材が分離するとともに、円筒状部材内に筒部が嵌入する。したがい、蓋本体の筒部が円筒状部材に嵌入しているというキャップの外観上の変化を見ることで、前記容器の中栓が開封されているか否かを容易に確認することができる。また、不透明な容器でも容易に中栓の開封・未開封の確認が可能となる。
【００３３】
また、請求項２に係る発明のバージン機構付きヒンジキャップによれば、蓋本体における筒部下端の外周面を傾斜させてテーパ面に形成する一方、円筒部材の内径は前記筒部外径よりも小さく、かつ該テーパ面の下端外径よりも大きく形成するとともに、該円筒状部材には該筒部の嵌入に伴い拡開する複数のスリットを形成し、該各スリットにはこれを横断して該拡開により破断される接合片を設けたので、中栓から分離された円筒状部材内に蓋本体の筒部が嵌入していくと、テーパー面が円筒状部材を押し広げてスリットを上方部から拡開させていき、各接合片に延び変形が生じてそのうちの１つが破断に至って分断される。そして、円筒状部材は、分断されたスリット部で大きく拡開して広がり、蓋本体の筒部から離間する。したがい、この円筒状部材が蓋本体の筒部から離間して大きく広がっている状態は、一見しただけで即座に視認できるので、開封・未開封の確認性が著しく向上する。また、その分断された円筒状部材は容易に取り去ることができるから、購買者等が正当に開封した際には、その円筒状部材を取り去ることで以後の美観を高めることができ、しかも不正に開封されて当該円筒状部材が取り去られていれば、円筒状部材がないという外観上の変化で、その開封済みを検知できる。
【図面の簡単な説明】
【図１】本発明に係るバージン機構付きヒンジキャップの第１実施形態を示す一部断面斜視図である。
【図２】本発明に係る第１実施形態のバージン機構付きヒンジキャップの中栓が開封される過程を示す断面図を示し、（ａ）は未開封状態、（ｂ）は開封完了状態、（ｃ）は開封後の使用状態を示す。
【図３】本発明に係る第１実施形態の中栓の開封に伴い、円筒状部材が分断される過程を示すもので、中栓と円筒状部材との境界近傍の要部拡大断面図であり、（ａ）は未分断、（ｂ）は分断直後、（ｃ）は分断後の状態を示す。
【図４】本発明に係る第２実施形態の、容器口部と中栓の装着構造を示す断面図である。
【符号の説明】
１    バージン機構付きヒンジキャップ
１０    中栓
１２    薄膜部
１３    外側筒体部
１７    雌ネジ
１８    雄ネジ
１９    内側筒状部
２０    蓋本体
２２    筒部
２３    天板
２４    開口
２５    鋭部
２６    中栓開封手段
３０    蓋部材
３２    蓋板部
３４    ヒンジ
３９    筒状突起（シール部材）
４１    支持片
４７    円筒状部材
４７ａ  接合片
４７ｂ  スリット
５０    容器
５２    口部
【図１】
0004297545.tif 000002
【図２】
0004297545.tif 000003
【図３】
0004297545.tif 000004
【図４】
0004297545.tif 000005